(57)【要約】      （修正有）【課題】画像処理装置において原稿検知センサの制御を行うＣＰＵを省電力状態に移行しつつ、原稿検知センサ自身の消費電力を低減すること。【解決手段】発光部８０６と受光部８０７とを有するＡＤＦの原稿検知センサと、原稿検知センサを制御するＣＰＵ８０１と、ＣＰＵ８０１の直接的な制御なしで発光部８０６を間欠的に発光させるＣＰＵ８０１のタイマポート９９０と、受光部８０７からの出力信号をタイマポート９９０からの駆動信号に同期して保持するＤタイプフリップフロップ９０１とを設け、ＣＰＵ８０１は、省電力モードで待機中に、割り込みポート９９１から入力されるＤタイプフリップフロップ９０１によって保持された信号の変化に応じて、省電力モードから通常モードへ遷移し、ＡＤＦとリーダ部の動作準備を行う。【選択図】図９
2015165620.tif 000002
【特許請求の範囲】
【請求項１】
少なくとも光を発光する発光部と前記発光部から出力される光を受光する受光部とを用いて所定の検知機能を有する検知手段と、
前記検知手段を制御する制御手段と、
前記制御手段による設定で前記制御手段による直接的な制御なしで前記発光部を間欠的に発光させる駆動手段と、
前記受光部からの出力信号を前記駆動手段からの駆動信号に同期して保持する保持手段と、を有し、
前記制御手段は、第１電力状態と前記第１電力状態より消費電力の小さい第２電力状態とを切り替えて動作可能であり、前記第２電力状態で待機中に、前記保持手段によって保持された信号の変化に応じて、前記第２電力状態から前記第１電力状態へ遷移することを特徴とする画像処理装置。
【請求項２】
前記制御手段は、前記第２電力状態から前記第１電力状態へ遷移した後、前記保持手段によって保持された信号の状態を確認することを特徴とする請求項１に記載の画像処理装置。
【請求項３】
前記制御手段は、前記保持手段で保持された信号を、割り込み要求信号として入力することを特徴とする請求項１又は２に記載の画像処理装置。
【請求項４】
前記画像処理装置は、第３電力状態と前記第３電力状態より消費電力の小さい第４電力状態とを切り替えて動作可能であり、
前記画像処理装置が前記第３電力状態の場合、前記駆動手段は前記発光部を連続点灯させ、前記受光部の出力信号は前記保持手段を介さずに前記制御手段へ入力されることを特徴とする請求項１乃至３のいずれか１項に記載の画像処理装置。
【請求項５】
原稿を読み取る読取手段と、
原稿トレイに積載された原稿を前記読取手段に搬送する原稿搬送手段と、を有し、
前記検知手段は、前記原稿トレイに積載された原稿を検知することを特徴とする請求項１乃至４のいずれか１項に記載の画像処理装置。
【請求項６】
原稿を載置する原稿台と、前記原稿台に原稿を押し当てるための圧板部を有し、前記原稿台に載置された原稿を読み取る読取手段を有し、
前記検知手段は、前記圧板部の開閉を検知することを特徴とする請求項１乃至４のいずれか１項に記載の画像処理装置。
【請求項７】
シートに印刷を行う印刷手段と、
前記印刷手段に給送するシートを積載するトレイと、を有し、
前記検知手段は、前記トレイに積載されたシートを検知することを特徴とする請求項１乃至４のいずれか１項に記載の画像処理装置。
【請求項８】
シートに印刷を行う印刷手段と、
前記印刷手段に給送するシートを収納する前記印刷手段に着脱可能なカセットと、を有し、
前記検知手段は、前記カセットの着脱状態を検知することを特徴とする請求項１乃至４のいずれか１項に記載の画像処理装置。
【請求項９】
少なくとも光を発光する発光部と前記発光部から出力される光を受光する受光部とを用いて所定の検知機能を有する検知手段と、前記検知手段を制御する制御手段と、前記制御手段による設定で前記制御手段による直接的な制御なしで前記発光部を間欠的に発光させる駆動手段と、前記受光部からの出力信号を前記駆動手段からの駆動信号に同期して保持する保持手段と、を有し、前記制御手段が第１電力状態と前記第１電力状態より消費電力の小さい第２電力状態とを切り替えて動作可能な画像処理装置の制御方法であって、
前記制御手段が、前記第２電力状態で待機中に、前記保持手段によって保持された信号の変化に応じて、前記第２電力状態から前記第１電力状態へ遷移するステップを有することを特徴とする画像処理装置の制御方法。
【請求項１０】
コンピュータを、請求項１乃至８のいずれか１項に記載された制御手段として機能させるためのプログラム。
【発明の詳細な説明】
【技術分野】
【０００１】
本発明は、画像処理装置の電力制御に関する。
【背景技術】
【０００２】
従来から、画像形成装置に備わる自動原稿搬送装置（ＡＤＦ；Ａｕｔｏ Ｄｏｃｕｍｅｎｔ Ｆｅｅｄｅｒ）において、原稿束が原稿積載台にセットされたことを検出する原稿検知手段としてフォトインタラプタと可動式フラグとの組み合わせがよく用いられる。この可動式フラグが、原稿束のセット／非セットに連動してフォトインタラプタの発光部からの光を遮光／透過する。それによって、フォトインタラプタの受光部で受光された光のＯＮ／ＯＦＦによって原稿束の有無を検出する。
【０００３】
一般的にフォトインタラプタの発光部としては赤外ＬＥＤが用いられ、赤外ＬＥＤを発光させるには数百ｍＷの電力を必要とする。そのため、常時赤外ＬＥＤを発光させておくと、その分、画像形成装置の消費電力も増加してしまう。一方、低消費電力を実現させるため、画像形成装置が省電力モードの時に発光部を消灯してしまうと、原稿束の検出ができなくなってしまう。
【０００４】
この課題を解決する技術として、特許文献１では、フォトインタラプタの発光部である赤外ＬＥＤを間欠的に点灯させ、原稿検知信号を前記点灯のタイミングに合わせて監視することで、赤外ＬＥＤで消費する平均電力の低減を実現している。
【先行技術文献】
【特許文献】
【０００５】
【特許文献１】特開２００６−２４３２３８号公報
【発明の概要】
【発明が解決しようとする課題】
【０００６】
しかし、上記従来技術では、赤外ＬＥＤの点灯／消灯を制御したり、原稿検知信号を監視したりするＣＰＵは、上記の制御／監視を行うために、常に動作している必要がある。そのため、画像形成装置全体としての低消費電力化に対してマイナスの寄与を引き起こしている。
【０００７】
本発明は、上記の問題点を解決するためになされたものである。本発明の目的は、原稿検知センサ等の検知手段の制御を行うＣＰＵ等の制御手段を省電力状態に移行しつつ、検知手段自身の消費電力を低減可能にして、検知手段の制御を行う制御手段の低電力化と検知手段の低電力化の両立を実現しつつ、検知手段の検知をトリガに制御手段を復帰した画像処理装置を実現する仕組みを提供することである。
【課題を解決するための手段】
【０００８】
本発明は、少なくとも光を発光する発光部と前記発光部から出力される光を受光する受光部とを用いて所定の検知機能を有する検知手段と、前記検知手段を制御する制御手段と、前記制御手段による設定で前記制御手段による直接的な制御なしで前記発光部を間欠的に発光させる駆動手段と、前記受光部からの出力信号を前記駆動手段からの駆動信号に同期して保持する保持手段と、を有し、前記制御手段は、第１電力状態と前記第１電力状態より消費電力の小さい第２電力状態とを切り替えて動作可能であり、前記第２電力状態で待機中に、前記保持手段によって保持された信号の変化に応じて、前記第２電力状態から前記第１電力状態へ遷移することを特徴とする。
【発明の効果】
【０００９】
本発明によれば、検知手段の制御を行う制御手段を省電力状態に移行しつつ、検知手段自身の消費電力を低減可能にして、検知手段の制御を行う制御手段の低電力化と検知手段の低電力化の両立を実現しつつ、検知手段の検知をトリガに制御手段を復帰可能した画像処理装置を実現することができる。
【図面の簡単な説明】
【００１０】
【図１】本実施例の画像形成装置の概略構成を例示する断面図。
【図２】ＡＤＦの概略構成を例示する断面図。
【図３】原稿検知センサを説明するための図。
【図４】画像形成装置のＡＤＦとリーダ部を側面から見た図。
【図５】プリンタエンジンの概略構成を例示する断面図。
【図６】プリンタエンジンの給紙カセット周辺を拡大した断面図。
【図７】コントローラのハードウェア構成を例示する図。
【図８】従来の原稿検知センサを駆動する回路を説明する図。
【図９】実施例１の原稿検知センサを駆動する回路を説明する図。
【図１０】実施例１の原稿検知センサ駆動回路の動作を説明するタイミングチャート。
【図１１】実施例１において原稿検知センサを制御するＣＰＵ等の動作を例示するフローチャート。
【図１２】実施例２の原稿検知センサを駆動する回路を説明する図。
【図１３】実施例２において原稿検知センサを制御するＣＰＵ等の動作を例示するフローチャート。
【発明を実施するための形態】
【００１１】
以下、本発明を実施するための形態について図面を用いて説明する。
【実施例１】
【００１２】
図１は、本発明の画像処理装置の一実施例を示す画像形成装置１００の概略構成を例示する断面図である。
【００１３】
画像形成装置１００は、自動原稿搬送装置（ＡＤＦ）１０２、リーダ部１０３、プリンタエンジン１０４、シート（以下、用紙）をセットする給紙カセット１０６、手差し用紙に印刷する場合に用紙をセットする手差しトレイ１０５を備えている。また、画像形成装置１００は、ＡＤＦ１０２、リーダ部１０３、プリンタエンジン１０４、給紙カセット１０６、手差しトレイ１０５の各部を制御するコントローラ１０７も備える。
【００１４】
給紙カセット１０６は、通常動作（印刷）時は、カセット内に搭載された用紙を１枚ずつ引き込み、印刷を実行する。用紙の補充が必要な場合は、給紙カセット１０６は図１の点線で示すように、ユーザによってプリンタエンジン１０４から引き出し可能（着脱可能）な構造になっている。さらに、手差しトレイ１０５は、プリンタエンジン１０４に給送するシートを積載するためのものである。手差しトレイ１０５は、図１の点線で示すように、プリンタエンジン１０４側から手差しトレイ１０５が引き出し可能（開閉可能）となっており、手差しトレイ１０５を引き出して（開いて）使用する構造になっている。なお、本実施例では上記のような構造で説明するが、給紙カセット１０６や手差しトレイ１０５が必ずしも引き出して（開いて）使用する構造になってなくてもよい。
【００１５】
続いて、図２を用いてＡＤＦ１０２の構成について説明する。
図２は、ＡＤＦ１０２の概略構成を例示する断面図である。
ＡＤＦ１０２は、原稿を積載する原稿トレイ２０１と、原稿検知センサ２０２と、原稿を１枚ずつ引き込んで画像を読み取るための機構（２０３〜２１６）とを備えている。また、ＡＤＦ１０２は、画像を読み込み終わった原稿を蓄える排出トレイ２１７も備えている。
【００１６】
以下、原稿を１枚ずつ引き込んで画像を読み取るための機構について、詳細を説明する。
原稿をＡＤＦ内に引き込むピックアップローラ２０３は、原稿を当接する位置まで降下可能な構造になっている（降下した状態は図示せず）。原稿を搬送する機構には、対向する分離パッド２０５と、常に接触し摩擦で原稿束から一番上の原稿１枚のみを分離し搬送する分離ローラ２０４とを備える。
【００１７】
分離ローラ２０４によって分離された原稿は、第一搬送ローラ２０６と搬送コロ２０７、搬送をガイドする内ガイド２０８によって、ＡＤＦ１０２の下方に向かって搬送される。下方へ搬送された原稿は、読み出し前ローラ２０９と加圧コロ２１０によって、原稿読取位置２１２まで搬送される。ガイドマイラ２１１は、原稿読取位置２１２まで原稿をガイドする。
【００１８】
原稿は、原稿台ガラス２１３に原稿読取位置２１２で当接すると、原稿台ガラス２１３の下方にあるイメージセンサ（図示せず）によって画像が読み取られる。画像を読み取られた原稿は、排出ガイド２１４を経て、排出ローラ２１５と排出コロ２１６に達し、排出トレイ２１７に排出される。
【００１９】
続いて、図３を用いて、ＡＤＦ１０２に原稿束がセットされたか否か検出する原稿検知センサ２０２の動作について説明する。
図３は、原稿検知センサを説明するための図である。
図３に示すように、原稿検知センサ２０２は、可動式フラグ３０１とフォトインタラプタ３０２とで構成されている。
【００２０】
図３（ａ）は、ＡＤＦの原稿トレイ２０１に原稿がセットされていない状態を示している。また、図３（ｂ）は、原稿がセットされた状態を示している。ここで、図３（ｂ）の点線は、原稿束３０３を表している。
【００２１】
原稿束が原稿トレイ２０１にセットされると、可動式フラグ３０１が図３（ａ）の状態から図３（ｂ）のように動き、フォトインタラプタ３０２の発光部と受光部を遮る形になる。これによって、受光部で受けていた光が届かなくなり、フォトインタラプタ３０２の出力信号が変化するので、原稿束のセットを検出することができる。
【００２２】
図４は、図１で示した矢印Ａの方向から画像形成装置１００のＡＤＦ１０２とリーダ部１０３を見た図である。
ＡＤＦ１０２は、原稿台ガラス２１３に載置された原稿を原稿台ガラス２１３に押し付けるための圧板部も兼ねており、図４（ａ）は、ＡＤＦ１０２を閉じて原稿台ガラス２１３に原稿を押しつけている状態を示している。また、原稿台ガラス２１３に原稿を載せるため、ＡＤＦ１０２はヒンジ部４０１を支点に上方へ上がる構造になっている。図４（ｂ）は、ＡＤＦ１０２を開けた状態を示している。ここで、詳細は図示していないが、図３で示した原稿検知センサ２０２のようにフォトインタラプタと可動式フラグがヒンジ部４０１に構成されており、ＡＤＦ１０２の開閉によって出力信号の状態が変化するように構成されている。
【００２３】
図５は、プリンタエンジン１０４の概略構成を例示する断面図である。
図１に示した通り、プリンタエンジン１０４は、給紙カセット１０６と、手差しトレイ１０５等を備えている。給紙カセット１０６からの給紙が指示されている場合は、図５（ａ）に示す通り、給紙カセット分離ローラ５０２と給紙カセット搬送ローラ５０３、給紙カセット搬送コロ５０４によって用紙５０１が分離・搬送される。一方で、手差しトレイ１０５からの給紙が指示されている場合は、図５（ｂ）に示す通り、手差し分離ローラ５０５と手差し搬送ローラ５０６、手差し搬送コロ５０７によって用紙５０１が分離・搬送される。
【００２４】
図５（ｃ）は、手差しトレイ１０５に用紙がセットされたか否かを検出する手差し用紙検知部５０８の構成位置について示している。手差し用紙検知部５０８は、原稿検知センサ２０２と同様に可動式フラグとフォトインタラプタで構成され、用紙の検出手順も前述の通りである。
【００２５】
図６は、プリンタエンジン１０４の給紙カセット１０６周辺を拡大した断面図である。
図６（ａ）は、給紙カセットを引き出した状態を示している。また、図６（ｂ）は給紙カセット１０６が収納された状態を示している。プリンタエンジン１０４は、給紙カセット開閉検知部６０１を備え、給紙カセット開閉検知部６０１により、給紙カセットの開閉状態を検出することが可能になっている。給紙カセット開閉検知部６０１も、前述の前記原稿検知センサ２０２と同様の構成・構造になっているので、検出手順については省略する。
【００２６】
図７は、図１に示したコントローラ１０７のハードウェア構成を例示する図である。
コントローラ１０７は、コントローラボード７００、スキャナコントローラ（スキャナＣｏｎt.）７０９、プリンタコントローラ（プリンタＣｏｎt.）７０７、操作パネル７１２などの部分から構成されている。これら各部がそれぞれ連動し、印刷、スキャン、コピー、ＦＡＸなどの機能を実現している。
【００２７】
スキャナコントローラ７０９は、原稿の読み取りを制御する。プリンタコントローラ７０７は、印刷データの用紙への印刷を制御する。操作パネル７１２は、各種設定操作及びアラーム等の表示を制御する。
【００２８】
スキャナコントローラ７０９には、原稿検知を行う原稿検知センサ２０２や原稿台開閉検知センサ（ヒンジ部４０１に設けられる）が接続されている。上述したように、原稿検知センサ２０２はＡＤＦ１０２に、原稿台開閉検知センサはＡＤＦ１０２の開閉を支えるヒンジ部４０１にそれぞれ備わっている。それぞれのセンサは、原稿トレイ２０１への原稿束積載の有無や、ＡＤＦ１０２の開閉の状態をスキャナコントローラ７０９へ通知する。
【００２９】
プリンタコントローラ７０７には、給紙カセット開閉検知部６０１や手差し用紙検知部５０８が接続されている。上述したように、給紙カセット開閉検知部６０１はプリンタエンジン１０４に、手差し用紙検知部５０８は手差しトレイ１０５の開閉を支えるヒンジ部にそれぞれ備わっている。それぞれのセンサは、給紙カセット１０６の収納状態や、手差しトレイ１０５の開閉の状態をプリンタコントローラ７０７へ通知する。
【００３０】
コントローラボード７００内のＣＰＵ７０１は、画像形成装置１００全体を制御するコントローラであり、各部とシステムバス７１９で接続されている。外部との通信は、各外部Ｉ／Ｆ（７１８、７１７、７１５、７１０等）を介して通信可能に構成されている。
【００３１】
ファクシミリインタフェース（ＦＡＸ Ｉ／Ｆ）７１８は、モジュラージャックを介し、公衆回線網１０８に接続され、ＦＡＸ装置１０９とファクシミリ送受信を行う。ネットワークインタフェース（ネットワークＩ／Ｆ）７１７は、ＬＡＮ Ｉ／Ｆコネクタを介しＬＡＮ７２４に接続し、ＰＣ（パーソナルコンピュータ）７２０等とネットワーク通信を行う。なお、ＬＡＮ７２４にはアクセスポイント（ＡＰ）７２１も接続されており、無線ＬＡＮ７２５を介してＰＣ７２０等とネットワーク通信を行う。ＵＳＢインタフェース（ＵＳＢ Ｉ／Ｆ）７１５は、ＵＳＢコネクタを介し、ＰＣ７１６等とローカル接続し、ＵＳＢ通信を行う。無線ＬＡＮインタフェース（無線ＬＡＮ Ｉ／Ｆ）７１０は、無線ＬＡＮアンテナ７１１を介し、無線ＬＡＮ７２５によりＡＰ７２１に接続し、無線ＬＡＮ通信を行う。
【００３２】
内部との通信は、各内部Ｉ／Ｆ（７０８、７０６）を介して通信可能に構成されている。スキャナコントローラ７０９とは、スキャナインタフェース（スキャナＩ／Ｆ）７０８を介し、データ通信を行う。プリンタコントローラ７０７とは、エンジンインタフェース（エンジンＩ／Ｆ）７０６を介し、データ通信を行う。操作パネル７１２とは、システムバス７１９を介し、データ通信を行う。
【００３３】
ＲＯＭ７０３はブートＲＯＭであり、画像形成装置１００のブートプログラムが格納されている。ＲＡＭ７０２は、ＣＰＵ７０１が動作するためのシステムワークメモリであり、ＣＰＵ７０１の演算データや各種プログラムが記憶される。また、ＲＡＭ７０２は、印刷時等に画像処理部７０５で種々の画像処理を施された画像データを保持する画像メモリとしても利用される。記憶装置７０４は、サイズの大きなプログラムやデータを保存しておくための不揮発の２次記憶装置であり、保存してあるサイズの大きなプログラムやデータはＲＡＭ７０２に展開して使用される。記憶装置７０４は、例えばハードディスクドライブ（ＨＤＤ）やソリッドステートドライブ（ＳＳＤ）等である。ＣＰＵ７０１は、ＲＯＭ７０３や記憶装置７０４に格納されたプログラムを読み出して実行することにより、画像形成装置１００を制御する。画像形成装置１００は、少なくとも通常モードと該通常モードよりも消費電力の小さい省電力モードを切り替えて動作可能である。
【００３４】
まず、図８を用いて、従来の原稿検知センサを駆動する回路について説明する。
図８は、従来の原稿検知センサを駆動する回路を説明するための図であり、特に従来技術においてフォトインタラプタ３０２の発光部（赤外ＬＥＤ８０６）を間欠的に発光させるための駆動回路について説明するものである。
【００３５】
図８に示すように、従来では、出力ポート８９０と入力ポート８９１を有するＣＰＵ８０１（例えばスキャナコントローラ７０９内に設けられる）によって、発光部（赤外ＬＥＤ８０６）の駆動信号８０３と原稿検知信号８１０を制御していた。
【００３６】
赤外ＬＥＤ８０６を間欠的に発光させることにより次のような消費電力低減の効果がある。例えば、赤外ＬＥＤ８０６を連続的に点灯させると常時１００ｍＷの電力を消費していたとすると、電力量は１００ｍＷｈとなる。一方、デューティ比２０％で間欠的に発光させるように変更すると、電力量としては、１００ｍＷｈの２０％で２０ｍＷｈになり、８０ｍＷｈの電力量が低減されることになる。
【００３７】
以下、図８に示す回路の動作について説明する。
ＣＰＵ８０１の出力ポート８９０から出力される駆動信号８０３は、ＬＥＤ駆動トランジスタ８０４へ入力する。ＬＥＤ駆動トランジスタ８０４はベースの電位がＬｏｗの時にＯＮし、Ｈｉｇｈの時にＯＦＦする。従って、駆動信号８０３がＬｏｗの時に赤外ＬＥＤ８０６は点灯し、Ｈｉｇｈの時に消灯する。
【００３８】
一方、受光部側のフォトトランジスタ８０７は、発光部である赤外ＬＥＤ８０６の光を受けた時にＯＮし、光が受けられなくなるとＯＦＦする。図８の回路の場合、遮光物８０８（可動式フラグ３０１に含まれる）が赤外ＬＥＤ８０６からの光を遮るか、ＬＥＤ駆動トランジスタ８０４がＯＦＦして赤外ＬＥＤ８０６が消灯すると、フォトトランジスタ８０７はＯＦＦになる。
【００３９】
フォトトランジスタ８０７がＯＮになると、エミッタ・コレクタ間がＯＮになるので、フォトインタラプタ３０２の出力はＬｏｗになる。一方、フォトトランジスタ８０７がＯＦＦになると、プルアップ抵抗８０９によって、出力はＨｉｇｈになる。フォトインタラプタ３０２の出力信号は、ローパスフィルタ（８１１、８１２）を介して、ＣＰＵ８０１の入力ポート８９１へ、原稿検知信号８１０として入力する。
【００４０】
この時、ＣＰＵ８０１は、駆動信号８０３がＬｏｗのタイミング（赤外ＬＥＤ８０６が点灯の時）に合わせて原稿検知信号８１０を監視することで、原稿トレイ２０１に原稿があるか否かの判断を行う。従って、画像形成装置１００が省電力モードであっても、この駆動回路を制御するＣＰＵ８０１は、常に動作状態である必要がある。
【００４１】
次に、図９を用いて、実施例１の原稿検知センサを駆動する回路について説明する。
図９は、実施例１の原稿検知センサを駆動する回路を説明する図であり、特に実施例１においてフォトインタラプタ３０２の駆動回路について説明するものである。
【００４２】
図９に示す駆動回路は、図８に示した従来の駆動回に対して、Ｄタイプフリップフロップ９０１が追加されている点に特徴がある。また、スキャナコントローラ７０９のＣＰＵ８０１が、出力する駆動信号８０３を生成するポートとして、ＰＷＭ機能やタイマ機能を用いて一定周期／一定デューティのトグル波形信号を出力可能なポートを選定している。ここで、ＰＷＭとはＰｕｌｓｅ Ｗｉｄｔｈ Ｍｏｄｕｌａｔｉｏｎ（パルス幅変調）のことである。また、タイマ機能とは設定（周期、デューティ比など）に応じて出力信号をトグルさせることができる機能を指す。これらＰＷＭ機能やタイマ機能を用いると、駆動信号８０３を生成するためにＣＰＵ８０１が出力の制御を行う必要がない。つまり、ＣＰＵ８０１は、タイマ機能の周期やデューティ比の設定とスタート指示だけ行えば、直接的な制御なしでトグル信号の生成が可能になる。このポート選定によって、ＣＰＵ８０１が割り込み待ちのサスペンドモード（或いは省電力モード）に入って待機することができる。ＣＰＵ８０１は、少なくとも通常モードと該通常モードよりも消費電力の小さいサスペンドモード（或いは省電力モード）を切り替えて動作可能である。なお、本実施例では、一例として、駆動信号８０３を生成するポートを、上述したタイマ機能を用いることができるタイマポート９９０とする。
【００４３】
さらに、原稿検知信号９０４を入力するＣＰＵ８０１のポートとして、割り込みポート９９１を選定している。これによって、ＣＰＵ８０１がサスペンド状態で待機中でも、原稿検知信号９０４（割り込み要求信号）による割り込み要求をトリガに通常状態への復帰することが実現できる。さらに、ＣＰＵ８０１が通常状態に復帰後、割り込み要因のチェックを行った場合でも、上記Ｄタイプフリップフロップ９０１が信号レベルを保持しているため、ＣＰＵ８０１は、復帰後の処理を正しく行うことができる。ＣＰＵ８０１は、省電力モードで待機中に、割り込みポート９９１から入力されるＤタイプフリップフロップ９０１によって保持された信号の変化に応じて、省電力モードから通常モードへ遷移することができる。
【００４４】
以降、図１０を用いて図９に示した駆動回路の動作を説明する。
図１０は、実施例１の原稿検知センサ駆動回路の動作を説明するタイミングチャートである。
図９に示したように、駆動信号８０３は、ＬＥＤ駆動トランジスタ８０４に加えて、Ｄタイプフリップフロップ９０１のＣＫ端子９０３へも入力されている。従って、図１０に示すように、赤外ＬＥＤ８０６の点灯・消灯のタイミングとＣＫ端子９０３に入力する信号のタイミングは同期している。
【００４５】
一方、遮光物８０８が無い場合の原稿積載無しの期間（１００５）では、Ｄタイプフリップフロップ９０１のＤ端子９０２に入力する信号は、赤外ＬＥＤ８０６の点灯・消灯に合わせて状態がトグルする。ただし、ＲＣのローパスフィルタ（８１１、８１２）の効果でＤ端子９０２に入力する信号は立ち上がり・立ち下がりが緩やかな波形になる。
【００４６】
次に、原稿トレイ２０１に原稿束がセットされ原稿積載有りの期間（１００６）になると、赤外ＬＥＤ８０６が点灯していても、遮光物８０８が光を遮るのでフォトトランジスタ８０７がＯＦＦし、Ｄ端子９０２に入力する信号はＨｉｇｈになる（１００１）。そこで、次のＣＫ端子９０３への入力信号がＨｉｇｈへ立ち上がるタイミング（１００２）で、Ｄ端子９０２信号の状態（１００３）がＱ端子９０４へ反映されるため、原稿検知信号（９０４；Ｈｉｇｈレベル信号）としてＣＰＵ８０１の割り込みポート９９１へ入力される。ＣＰＵ８０１の割り込みポート９９１を、Ｈｉｇｈレベルで割り込みを出すよう設定しておけば、この信号レベルの遷移で、ＣＰＵ８０１を通常モードへ復帰させることができる。
【００４７】
次に、図９に示したＣＰＵ８０１等の動作について図１１を用いて説明する。
図１１は、実施例１の画像形成装置１００が省電力モードに移行した場合のＣＰＵ８０１等の動作の一例を示すフローチャートである。なお、このフローチャート内のＣＰＵ８０１の処理は、ＣＰＵ８０１（例えばスキャナコントローラ７０９内に設けられる）が図示しないＲＯＭ（例えばスキャナコントローラ７０９内）等に格納されたプログラムを実行することにより実現されるものとする。
【００４８】
画像形成装置１００が省電力モードに移行すると、ＣＰＵ８０１は、図１１の処理を開始する。図９に示す通り、ＣＰＵ８０１には、タイマ機能（或いはＰＷＭ機能）をもつポート９９０と割り込み機能をもつポート（Ｉｎｔｅｒｒｕｐｔ ＲｅＱｕｅｓｔ；ＩＲＱ）９９１を有する。
【００４９】
図１１の処理を開始すると、ＣＰＵ８０１は、Ｓ１１０１、Ｓ１１０２において、割り込みポート９９１、タイマポート９９０の設定を行う。具体的には、割り込みポート９９１の場合、エッジでトリガが掛るか、レベルでトリガが掛るか、レベルトリガの場合、Ｈｉｇｈレベルでトリガが掛るかＬｏｗレベルでトリガが掛るかなどを設定する。一方、タイマポート９９０の設定では、トグルの周期、デューティ比などを設定する。Ｓ１１０１、Ｓ１１０２の設定が完了したら、ＣＰＵ８０１は、Ｓ１１０３に処理を進める。
【００５０】
Ｓ１１０３では、ＣＰＵ８０１は、タイマポート９９０の出力を開始し、Ｓ１１０４において、省電力モードに移行する。省電力モードとは、例えば動作クロックの周波数を低減させることで、ＣＰＵ８０１自体の消費電力を下げることができるモードのことである。Ｓ１１０４以降は、ＣＰＵ８０１の外部回路がタイマポート９９０の出力に応じて動作する。その動作説明は上記の通りである。
【００５１】
次に、ＡＤＦ１０２の原稿トレイ２０１に原稿束が置かれたか否かを示す原稿検知信号９０４が、ＣＰＵ８０１に対して割り込み要求を出す状態に遷移した場合（Ｓ１１０５がＹｅｓの場合）、割り込み要求がＣＰＵ８０１に達し、ＣＰＵ８０１は省電力モードから通常モードへ復帰する（Ｓ１１０６）。
【００５２】
通常モードへ復帰すると、ＣＰＵ８０１は、割り込み要求があったポートがどこであったか（割り込み要因は何であったか）を確認し（Ｓ１１０７）、上記割り込み要求が何であるか判定する（Ｓ１１０８）。
【００５３】
そして、ＣＰＵ８０１は、上記割り込み要求が原稿検知信号９０４による割り込み要求であると判定した場合（Ｓ１１０８でＹｅｓの場合）、Ｓ１１０９に処理を進める。Ｓ１１０９では、ＣＰＵ８０１は、ＡＤＦ１０２を使ってコピー動作を実行したり、スキャン動作を実行したりすることに備えて、ＡＤＦ１０２とリーダ部１０３が動作できるよう準備する処理を実行する。なお、上記Ｓ１１０９では、ＣＰＵ８０１は、原稿検知信号９０４による割り込み要求であった旨を図示しない画像形成装置１００の電源制御部（不図示）に通知する。そして、この通知を受けた電源制御部は、画像形成装置１００を省電力モードから復帰させるものとする。
【００５４】
一方、ＣＰＵ８０１は、上記割り込み要求が原稿検知信号９０４による割り込み要求ではなかったと判定した場合（Ｓ１１０８でＮｏの場合）、Ｓ１１１０において、その割り込み要因に応じた処理を行うが、ここではその詳細は記載しない。なお、上記Ｓ１１１０では、ＣＰＵ８０１は、必要に応じて上記の割り込み要求があった旨を画像形成装置１００の電源制御部（不図示）に通知する。そして、この通知を受けた電源制御部は、必要に応じて、画像形成装置１００を省電力モードから復帰させるものとする。
【００５５】
以上示したように、実施例１によれば、ＣＰＵ８０１とフォトインタラプタ８０２の消費電力低減を図ることができる。即ち、ＡＤＦ１０２の原稿検知センサ２０２の制御を行うＣＰＵ８０１を省電力状態に移行しつつ、原稿検知センサ２０２自身の消費電力を低減することができる画像処理装置を提供することができる。
【実施例２】
【００５６】
図９（実施例１）では、画像形成装置１００が省電力モードか通常モードかによらず、駆動信号８０３はタイマポート９９０によるトグル信号を、原稿検知信号９０４はＤタイプフリップフロップ９０１からの信号を用いている。しかし、通常モードでは、ＡＤＦ１０２の原稿トレイ２０１に原稿束が置かれた場合に直ちに応答できるよう、赤外ＬＥＤ８０６の駆動信号８０３は、間欠的な信号だと不都合が発生する場合がある。従って、画像形成装置１００が通常モードの場合は、赤外ＬＥＤ８０６は常時点灯（連続点灯）させる構成で、原稿検知信号９０４もフォトインタラプタ８０２の出力信号をダイレクトにＣＰＵ８０１へ入力する構成が好ましい。その構成を実現しているのが図１２である。
【００５７】
以下、図１２を用いて、実施例２の原稿検知センサを駆動する回路について説明する。
図１２は、実施例２の原稿検知センサを駆動する回路を説明する図であり、特に実施例２においてフォトインタラプタ３０２の駆動回路について説明するものである。
【００５８】
図１２において、図９（実施例１）に対して追加になっている回路がバススイッチ１２０１である。バススイッチ１２０１は、フォトインタラプタ８０２の出力信号１２０３と、Ｄタイプフリップフロップ９０１の出力信号を、選択信号１２０２に応じて切り替える役割を担っている。例えば、画像形成装置１００が通常モードの場合には、ＣＰＵ８０１は省電力切替ポート９９２から選択信号１２０２を出力する。
【００５９】
選択信号１２０２をＨｉｇｈにすると、バススイッチ１２０１のバッファ１（１２０５）の出力が有効になり、バッファ２（１２０６）の出力が無効になる（ハイインピーダンス）。これによって、Ｄタイプフリップフロップ９０１からの出力９０４がゲーティングされ、フォトインタラプタ８０２からの出力が直接割り込みポート９９１に入力される。
【００６０】
一方、画像形成装置１００が省電力モードの場合は、省電力切替ポートから出力する選択信号１２０２をＬｏｗに設定する。すると、バススイッチ１２０１のバッファ１（１２０５）の出力が無効になり（ハイインピーダンス）、バッファ２（１２０６）の出力が有効になる。これによって、Ｄタイプフリップフロップ９０１からの出力９０４からの出力が割り込みポート９９１に入力される。
【００６１】
さらに、通常モードの時は、タイマポート９９０の設定を赤外ＬＥＤ８０６が常時点灯（連続点灯）するように設定し、省電力モードの場合は図９（実施例１）で説明したようにトグル（間欠）するように設定する。これにより、画像形成装置１００が通常モードの時は、原稿束が原稿トレイ２０１に置かれたことを直ちに検出でき、省電力モードの時はＣＰＵ８０１とフォトインタラプタ８０２の消費電力低減を図ることができる。
【００６２】
次に、図１２に示したＣＰＵ８０１等の動作について図１３を用いて説明する。
図１３は、実施例２の画像形成装置１００が省電力モードに移行した場合のＣＰＵ８０１等の動作の一例を示すフローチャートである。なお、このフローチャート内のＣＰＵ８０１の処理は、ＣＰＵ８０１（例えばスキャナコントローラ７０９内に設けられる）が図示しないＲＯＭ（例えばスキャナコントローラ７０９内）等に格納されたプログラムを実行することにより実現されるものとする。
【００６３】
画像形成装置１００は起動すると、まず通常モードで起動する（Ｓ１３０１）。なお、Ｓ１３０１の処理は、例えばＣＰＵ７０１実行する。また、例えばＣＰＵ７０１は、画像形成装置１００が通常モードで起動した旨をＣＰＵ８０１に通知する。画像形成装置１００が通常モードの場合、ＣＰＵ８０１は、省電力切替ポート９９２をＨｉｇｈに設定し、フォトインタラプタ８０２の出力をダイレクトにＣＰＵ８０１の割り込みポート９９１に入力するよう設定する（Ｓ１３０２）。
【００６４】
次に、ＣＰＵ８０１は、割り込みポート９９１の設定を行う（Ｓ１３０３）。この設定は、図１１のＳ１１０１で説明した通りであるので説明を省略する。次に、ＣＰＵ８０１は、タイマポート９９０を常時Ｌｏｗ出力になるように設定する（Ｓ１３０４）。これによって、フォトインタラプタ８０２の赤外ＬＥＤ８０６は常時点灯し、常時原稿検知可能な状態になる。
【００６５】
この状態で、画像形成装置１００は、画像形成装置１００が省電力モードへ移行する条件が満たされるまで（Ｓ１３０５がＮｏの間）、通常モードを維持する。そして、省電力モードへの移行条件が満たされると（例えば、無操作／無ジョブ状態が一定時間続いた場合など）（Ｓ１３０５でＹｅｓの場合）、画像形成装置１００は、省電力モードへ移行する（Ｓ１３０６）。なお、Ｓ１３０５及びＳ１３０６の処理は、例えばＣＰＵ７０１実行する。なお、画像形成装置１００が省電力モードへ移行すると、その旨がＣＰＵ８０１に通知される。
【００６６】
すると、ＣＰＵ８０１は、省電力切替ポートの出力値をＬｏｗに変更する（Ｓ１３０７）。これによって、ＣＰＵ８０１の割り込みポート９９１に入る信号は、Ｄタイプフリップフロップ９０１の出力信号に切り替わる。
【００６７】
次に、ＣＰＵ８０１は、タイマポート９９０の設定を、Ｌｏｗ固定からタイマ機能によるトグル設定に変更する（Ｓ１３０８）。以降のＳ１３０９〜Ｓ１３１６の処理は、図１１のＳ１１０３〜Ｓ１１１０で説明した通りであるので説明を省略する。そして、Ｓ１３１５の処理、或いはＳ１３１６の処理の後、画像形成装置１００は、通常モードへ移行し、ＣＰＵ８０１はＳ１３０２に処理を戻す。
【００６８】
以上示したように、実施例２によれば、画像形成装置１００が通常モードの時は、原稿束が原稿トレイ２０１に置かれたことを直ちに検出でき、画像形成装置１００が省電力モードの時はＣＰＵ８０１とフォトインタラプタ８０２の消費電力低減を図ることができる。よって、実施例１の効果に加え、通常モード時の応答性と省電力時の省電力性の双方を備えた画像処理装置を提供することができる。
【実施例３】
【００６９】
前述の実施例１及び２では、画像形成装置１００が省電力モードの時の原稿検知センサ２０２の制御について説明した。しかし、同様のフォトインタラプタを用いたセンサで、画像形成装置１００が省電力モードの場合にセンサとそれを制御するＣＰＵの消費電力を低減する目的であれば、前述の制御が適用可能である。
【００７０】
例えば、図４で示したリーダ部１０３の圧板としてＡＤＦ１０２を開けた場合に、ヒンジ部４０１にフォトインタラプタを用いた開閉検知のためのセンサを設ければ、同様の制御が可能になる。これによって、画像形成装置１００が省電力モードの時は消費電力を抑制できる。且つ、ユーザがコピー動作を実行するためにＡＤＦ１０２を開けた際、その動作を確実に検出してＣＰＵや画像形成装置１００を通常モードへ復帰させることが可能になる。
【００７１】
さらに、図５に示した手差しトレイ１０５に用紙が置かれたことを手差し用紙検知部５０８で検出して、ＣＰＵ８０１や画像形成装置１００を省電力モードから通常モードへ復帰することも、同様の制御で可能になる。また、図６で示した給紙カセット１０６が引き出されたこと（プリンタエンジン１０４への着脱状態）を給紙カセット開閉検知部６０１で検出して、ＣＰＵ８０１や画像形成装置１００を省電力モードから通常モードへ復帰することも、同様の制御で可能になる。さらに、不図示のセンサにより、手差しトレイ１０５が開かれたことを検知して、ＣＰＵ８０１や画像形成装置１００を省電力モードから通常モードへ復帰することも、同様の制御で可能になる。これらの制御も、本発明による画像形成装置１００の構成と制御で実現が可能である。
【００７２】
以上示したように、実施例３によれば、ＣＰＵ８０１と上述のセンサ（ヒンジ部４０１の原稿台開閉検知センサ、手差し用紙検知部５０８等の所定の検知機能を有するセンサ）の消費電力低減を図ることができる。即ち、上述のセンサの制御を行うＣＰＵを省電力状態に移行しつつ、上述のセンサ自身の消費電力を低減することができる画像処理装置を提供することができる。また、画像形成装置１００が通常モードの時は、上述のセンサがＡＤＦ１０２や手差しトレイ１０５の開閉を直ちに検出でき、画像形成装置１００が省電力モードの時は上述のセンサを制御するＣＰＵと上述のセンサの消費電力低減を図ることができる。よって、通常モード時の応答性と省電力時の省電力性の双方を備えた画像処理装置を提供することができる。
【実施例４】
【００７３】
上述の実施例においては、フォトインタラプタ８０２の赤外ＬＥＤ８０６の点灯・消灯を制御する駆動信号８０３は、ＣＰＵ８０１の機能ポート（タイマ機能、或いはＰＷＭ機能）で生成していた。実施例４では、ＣＰＵ８０１の機能ではなく、汎用ロジック回路や、ＣＭＯＳタイマＩＣを用いて実現する場合について説明する。
【００７４】
本実施例の場合、図９或いは図１２で示す駆動信号８０３を、ＣＰＵ８０１のタイマポート９９０より生成するのではなく、ＣＰＵ８０１と独立した回路で生成する。例えば、駆動信号８０３を、汎用ロジックＩＣの組み合わせやＣＭＯＳタイマＩＣを用いて、一定周期・一定デューティ比のトグル波形を生成すれば、ＣＰＵ８０１の制御を介在することなく、赤外ＬＥＤ８０６を駆動できる。
【００７５】
また、図１２で説明したように、画像形成装置１００が通常モードの場合に、駆動信号８０３を常時点灯するように駆動するように制御すれば、図１２で説明した動作を実現可能になる。
【００７６】
さらに、上記各実施例では、画像処理装置について説明したが、上述のセンサと同様のセンサを用いて制御を行う電気機器であれば、どのような装置であっても適用可能である。
【００７７】
以上示したように、上述したような検知部の制御を行う制御部を省電力状態に移行しつつ、検知部自身の消費電力を低減可能な装置を提供することができる。
【００７８】
なお、上述した各種データの構成及びその内容はこれに限定されるものではなく、用途や目的に応じて、様々な構成や内容で構成されることは言うまでもない。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【００７９】
（他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【００８０】
１００    画像形成装置
１０２    ＡＤＦ
２０２    原稿検知センサ
７０９    スキャナコントローラ
８０１    ＣＰＵ
９９０    タイマポート
９９１    割り込みポート
９０１    Ｄタイプフリップフロップ
【図１】
2015165620.tif 000003
【図２】
2015165620.tif 000004
【図３】
2015165620.tif 000005
【図４】
2015165620.tif 000006
【図５】
2015165620.tif 000007
【図６】
2015165620.tif 000008
【図７】
2015165620.tif 000009
【図８】
2015165620.tif 000010
【図９】
2015165620.tif 000011
【図１０】
2015165620.tif 000012
【図１１】
2015165620.tif 000013
【図１２】
2015165620.tif 000014
【図１３】
2015165620.tif 000015